(57)【要約】本発明は移動無線通信システム用の無線アクセスネットワーク（ＲＡＮ）およびその駆動方法に関している。無線アクセスネットワークは複数の第１のノード（ＵＰＳ１，ＵＰＳ２，．．．）を有しており、これらは地域内のサブエリア（Ａ，ａ）に割り当てられ、関連するサブエリア内に位置する端末機（ＵＥ）と基幹ネットワーク（ＣＮ）とのあいだでの利用データの交換に用いられる。無線アクセスネットワークはさらに少なくとも１つの第２のノード（ＲＣＳ１，ＲＣＳ２，．．．）を有している。この第２のノードはシグナリングデータを各端末機（ＵＥ）と交換する複数のシグナリング機能部（ＵＥＦ）を有している。第２のノードは複数の第１のノードに接続されている。これによりシグナリングデータは第１のノードを介して端末機（ＵＥ）と交換され、利用データは端末機と第１のノードとのあいだで交換される。端末機が別の第１のノードのサブエリアへ移動すると、利用データの伝達は先行のノードから別の第１のノードへシフトするので、シグナリング機能のシフトは必要ない。
2004511145.tif 000002
【特許請求の範囲】
【請求項１】
複数の第１のノード（ＵＰＳ１，ＵＰＳ２，．．．）が設けられており、該第１のノードは無線アクセスネットワーク（ＲＡＮ）のカバーする地域の各サブエリア（Ａ，ａ）に割り当てられており、また該第１のノードは関連するサブエリア内に位置する端末機（ＵＥ）と基幹ネットワーク（ＣＮ）とのあいだでの利用データの交換に用いられ、
さらに少なくとも１つの第２のノード（ＲＣＳ１，ＲＣＳ２，．．．）が設けられており、該第２のノードはシグナリングデータを各端末機（ＵＥ）と交換するシグナリング機能部（ＵＥＦ）と称される複数の機能ユニットを有している
移動無線通信システム用の無線アクセスネットワークにおいて、
第２のノード（ＲＣＳ１，ＲＣＳ２，．．．）は複数の第１のノード（ＵＰＳ１，ＵＰＳ２，．．．）に接続されており、これにより利用データを当該の端末機とのあいだで交換する第１のノードを介してシグナリングデータが端末機（ＵＥ）と交換される
ことを特徴とする移動無線通信システム用の無線アクセスネットワーク。
【請求項２】
端末機（ＵＥ）との通信が形成される際に所定の端末機に対してシグナリング機能部（ＵＥＦ）を割り当てるマネジメントユニット（ＵＡＦ）が設けられている、請求項１記載の無線アクセスネットワーク。
【請求項３】
第１のノード（ＵＰＳ１，ＵＰＳ２，．．．）にそれぞれ複数のトランスポート機能部（ＵＰＦ）が設けられており、該トランスポート機能部は各１つの端末機（ＵＥ）に割り当てられて利用データを端末機（ＵＥ）と交換し、シグナリング機能部（ＵＥＦ）およびトランスポート機能部（ＵＰＦ）に利用データおよびシグナリングデータの交換のために割り当てられるアドレスは同じ端末機（ＵＥ）に割り当てられている各機能部ごとに異なっている、請求項１または２記載の無線アクセスネットワーク。
【請求項４】
唯一の第２のノード（ＲＣＳ１）が設けられ、該唯一の第２のノードが各第１のノード（ＵＰＳ１，ＵＰＳ２，．．．）に接続される、請求項１から３までのいずれか１項記載の無線アクセスネットワーク。
【請求項５】
複数の第２のノード（ＲＣＳ１，ＲＣＳ２，ＲＣＳ３，ＲＣＳ４）が設けられ、各第２のノードはコアノードと称される各第１のノード（ＵＰＳ１）と、コアノードのサブエリア（Ａ）に接するサブエリア（ａ）を有する全ての第１のノードとに接続されている、請求項１から３までのいずれか１項記載の無線アクセスネットワーク。
【請求項６】
各第１のノードは少なくとも１つの第２のノードのコアノードである、請求項４記載の無線アクセスネットワーク。
【請求項７】
複数の第１のノード（ＵＰＳ１，ＵＰＳ２，．．．）を設け、該第１のノードを無線アクセスネットワーク（ＲＡＮ）をカバーする地域の各サブエリア（Ａ，ａ）に割り当て、また該第１のノードに、関連するサブエリア（Ａ）内に位置する端末機（ＵＥ）へ割り当てられるトランスポート機能部（ＵＰＦ）と称される複数の機能ユニットを設け、該機能ユニットを端末機（ＵＥ）と利用データを交換できるように構成し、
さらに少なくとも１つの第２のノード（ＲＣＳ１，ＲＣＳ２，．．．）を設け、ここにシグナリングデータを各端末機（ＵＥ）と交換するシグナリング機能部（ＵＥＦ）と称される複数の機能ユニットを設け、
無線アクセスネットワーク（ＲＡＮ）との通信の形成時に端末機（ＵＥ）に対してトランスポート機能部（ＵＰＦ）およびシグナリング機能部（ＵＥＦ）を割り当てる
移動無線通信システム用の無線アクセスネットワークの駆動方法において、
シグナリング機能部（ＵＥＦ）は割り当てられた第１のノード（ＵＰＳ１）を介してシグナリングデータを端末機（ＵＥ）へ伝達し、
端末機が１つのサブエリアから新たな第１のノード（ＵＰＳ２）に属する別のサブエリアへ移動した場合には、端末機に新たな第１のノード（ＵＰＳ２）の新たなトランスポート機能部（ＵＰＦ）を割り当て、シグナリング機能部（ＵＥＦ）は新たな第１のノード（ＵＰＳ２）を介してシグナリングデータを端末機（ＵＥ）へ送信する
ことを特徴とする移動無線通信システム用の無線アクセスネットワークの駆動方法。
【請求項８】
所定の端末機に割り当てられたトランスポート機能部とシグナリング機能部とはそれぞれ異なるアドレスを有し、当該の端末機に対する利用データおよびシグナリングデータを無線アクセスネットワーク（ＲＡＮ）内で異なるアドレスを用いて送信する、請求項７記載の方法。
【請求項９】
シグナリング機能部は端末機（ＵＥ）の移動を新たなサブエリアへ報告し、シグナリング機能部（ＵＥＦ）はこれに応じて当該の端末機（ＵＥ）に対するシグナリングデータを新たな第１のノード（ＵＰＳ２）へ送信する、請求項８記載の方法。
【請求項１０】
無線アクセスネットワーク（ＲＡＮ）が複数の第２のノード（ＲＣＳ１，ＲＣＳ２，ＲＣＳ３，ＲＣＳ４）を有しており、各第２のノードがそれぞれコアノードと称される第１のノード（ＵＰＳ１，ＵＰＳ２，ＵＰＳ３，ＵＰＳ４）と、コアノードのサブエリア（Ａ）に接するサブエリア（ａ）を有する全ての第１のノードとに接続されている場合、端末機（ＵＥ）に対して通信形成時に第２のノード（ＲＣＳ１）のシグナリング機能部を割り当て、該第２のノード（ＲＣＳ１）に対して当該の端末機の位置するサブエリア（Ａ）の第１のノード（ＵＰＳ１）をコアノードとする、請求項７から９までのいずれか１項記載の方法。
【発明の詳細な説明】
【０００１】
本発明は移動無線通信システム用の無線アクセスネットワークおよびその駆動方法に関する。
【０００２】
移動無線通信システムは、ケーブルで接続された広汎な区間を介して利用データおよびシグナリングデータを多数の端末機へ送る基幹ネットワークと、一般に１つまたは複数の無線局に接続された複数のノードを有するＲＡＮ（ｒａｄｉｏ ａｃｃｅｓｓ ｎｅｔｗｏｒｋ）と称される無線アクセスネットワークとに分割されている。これらのノードのタスクは端末機で受信されたデータを基幹ネットワークでの伝送に適したフォーマットへ変換するか、逆に基幹ネットワークで受信したデータのフォーマットを無線伝送に適したかたちへ変換し、これを送信領域内部の関連の端末機を有する無線局へ伝送することである。
【０００３】
特に利用データおよびシグナリングデータの個々の端末機への交換は煩雑なタスクである。なぜなら無線アクセスネットワークでは統括している全ての端末機について、当該の端末機がその時点で位置しているのがどの無線局の送信領域であるかということを知っていなければならないからである。そうでないと端末機の移動によって当該の端末機の位置する送信領域がつねに変化するため、端末機ごとに所定のデータを正確に転送できない。したがって無線アクセスネットワークを実行中の通信において端末機のデータの伝送路をつねに変更するように構成し、その際にもデータが失われないようにしなければならない。
【０００４】
伝送すべきデータは一方では利用データ、すなわち移動無線通信システムの外部で定義された意味を有し、送信側の端末機のユーザが入力し、受信側の端末機のユーザができるかぎり不変の状態で受信しようとするデータを含んでおり、他方ではシグナリングデータ、すなわち移動無線通信システムの内部過程を制御するために利用データの伝送に関連して形成され処理されるデータを含んでいる。これら２つのタイプのデータは無線アクセスネットワークと、これと通信する端末機とのあいだで交換される。
【０００５】
アクセスネットワークでは、利用データのノードから端末機への伝送にとって重要な機能ユニットと、シグナリングデータのトランスポートにとって重要な機能ユニットとを区別することができる。前者をここではトランスポート機能部またはユーザプレイン機能部と称し、後者をシグナリング機能部またはコントロールプレイン機能部と称する。シグナリング機能部は例えば無線リソース管理、ケーブル接続された基幹ネットワークへの信号チャネルの管理、移動管理、または無線アクセスネットワークに固有のシグナリングデータ以外の基幹ネットワークへのシグナリングデータの転送管理などのタスクを担当する。
【０００６】
現行のＧＳＭおよびＵＭＴＳの移動無線通信規格では、シグナリング機能部はそれぞれネットワークのうちコンセントレータとして複数の送信局のユーザデータのやり取りに用いられる物理ノードに設けられている。ＧＳＭ規格ではこれらのノードは基地局コントローラＢＳＣであり、ＵＭＴＳ規格ではサービングラジオネットワークコントローラＳ‐ＲＮＣである。これらのネットワークノードはそれぞれ接続された基地局の送信領域内に存在する端末機に対するシグナリング機能部もトランスポート機能部も含む。所定の端末機に対するシグナリング機能部およびトランスポート機能部はつねに共通に同じ物理ノードに設けられているため、これらは同じ物理アドレスを有する。このようなアクセスネットワークではアクティブな端末機が１つのノードでカバーされる地域を離れて別のノードでカバーされる地域へ入ったとき、トランスポート機能部もシグナリング機能部も新たなノードへ移さなければならない。こうした過程にはアクセスネットワーク内で大きなシグナリングコストがかかる。なぜなら利用データのトランスポート容量を考慮しなければならないうえ、時間も必要となるからである。
【０００７】
本発明の課題は、移動無線通信システム用の無線アクセスネットワークおよびその駆動方法を提供して、端末機が旧いノードの地域から新たなノードの地域へ移動した場合のシグナリングコストを小さく保持し、ネットワークの経済的な稼働を可能にすることである。
【０００８】
本発明はトランスポート機能部とシグナリング機能部とを分離するという着想に基づいている。
【０００９】
この課題は、複数の第１のノードが設けられており、この第１のノードは無線アクセスネットワークのカバーする地域の各サブエリアに割り当てられており、さらに第１のノードは関連するサブエリア内に位置する端末機と基幹ネットワークとのあいだでの利用データの交換に用いられ、さらに少なくとも１つの第２のノードが設けられており、この第２のノードはシグナリング機能部と称される複数の機能ユニットを有しており、このユニットはシグナリングデータを各端末機と交換しこれに依存して内部のシグナリングを行い、第２のノードは複数の第１のノードに接続されており、これによりシグナリングデータは第１のノードを介して端末機と交換され、利用データは端末機と第１のノードとのあいだで交換されることを特徴とする移動無線通信システム用の無線アクセスネットワークを構成して解決される。
【００１０】
複数の端末機を扱うのに必要な複数のシグナリング機能部は１つのノードでそれぞれ複数の回路または回路グループにより実現されており、これらがそれぞれの端末機に割り当てられる。これによりシグナリング要求を満足することができる。しかもこれは抽象的な意味において処理能力の一部、例えば物理的に分割不能な処理単位である計算時間成分であり、個々の端末機に必要に応じて割り当てられるものである。
【００１１】
本発明では第２のノードに複数の第１のノードと通信する機能部が設けられることにより、端末機が新たな第１のノードの領域へ移動しても、これまで必要であった端末機に割り当てられるシグナリング機能部のアクセスネットワーク内での空間的な移動を省略できる。このようなケースでは、トランスポート機能部を新たな第１のノードへ移すだけで充分である。シグナリングの転送は、シグナリング機能部が移動後にシグナリングデータを端末機へ送信する新たな第１のノードの知識を有していれば充分に行うことができる。
【００１２】
有利には利用データのトランスポートはシグナリングと同様に、各第１のノードに複数のトランスポート機能部が設けられ、このトランスポート機能部が各端末機に必要に応じて割り当てられるように編成される。これにより利用データが端末機と交換される。トランスポート機能部およびシグナリング機能部は通信の形成時にそれぞれ個別に割り当てられるので、機能部がそれぞれ利用データの交換およびシグナリングデータの交換のためにアクセスネットワーク内で使用可能な異なるアドレスを有することが望ましい。
【００１３】
本発明の無線アクセスネットワークの第１の簡単な実施形態では、各第１のノードに接続された唯一の第２のノードのみが設けられる。これはシグナリング機能部を全アクセスネットワークに対して１つの第２のノードに集中させることを意味する。
【００１４】
本発明の第２の有利な実施形態では、複数の第２のノードが設けられており、各第２のノードはコアノードと称される少なくとも１つの第１のノードと、コアノードのサブエリアに接するサブエリアを有する全ての第１のノードとに接続される。コアノードに割り当てられているサブエリア内に位置する端末機が通信を形成し、第２のノードのシグナリング機能部の割り当てを受ける場合、端末機は全てのコアノードのサブエリアとこれに接するサブエリアとの内部で移動でき、その際にシグナリング機能部を移し替える必要はない。例えばＧＳＭ移動無線通信システムにおいてサブエリアがそれぞれＭＳＣ領域に相応するように構成されている場合、最小の通信のみが２つ以上のＭＳＣ領域のなかから順次に行われることが識別される。したがって一般に、各第２のノードについてそれぞれちょうど１つずつのコアノードが割り当てられていれば充分であり、当該のコアノードの領域で開始される通信をシグナリング機能部の移動なしに完了させることができる。
【００１５】
確かにシグナリングデータを第１のノードと第２のノードとのあいだで伝送するのに必要なコネクションの全個数は第１の実施形態よりも第２の実施形態のほうが大きくなるが、そのつど接続される第１のノードの個数が少ないため、シグナリングデータの正確な転送に必要なコストは小さくなり、しかもコネクション経路は第１の実施形態よりも短くなる。
【００１６】
有利には各第１のノードは少なくとも１つの第２のノードのコアノードである。これにより無線通信システム内で開始されるそのつどの通信をシグナリング機能部の移動なしに続行することができる。これは当該の通信に関与している端末機が通信を開始したノードの領域から隣接するノードの領域へ移動した場合にも可能である。
【００１７】
本発明の別の特徴および利点を以下に実施例に則して添付図を参照しながら説明する。図１には基幹ネットワークと複数の端末とのあいだの本発明の無線アクセスネットワークのブロック図が示されている。図２には本発明の第２の無線アクセスネットワークのブロック図が示されている。
【００１８】
図１に示されているアクセスネットワークＲＡＮはユーザプレインサーバＵＰＳとも称される複数の第１のノードを有しており、図ではそのうちの２つＵＰＳ１，ＵＰＳ２が示されている。これらの第１のノードＵＰＳ１，ＵＰＳ２にはそれぞれ（図示されていない）複数の基地局が接続されており、これらは基地局を介して無線で複数の端末機ＵＥと通信する。図中、太い実線で示されている利用データのやり取りはアクセスネットワークＲＡＮにおいて一方では第１のノードと基幹ネットワークＣＮとのあいだで行われ、他方では第１のノードと端末機ＵＥとのあいだで行われる。
【００１９】
各第１のノードには複数のトランスポート機能部ＵＰＦ（ユーザプレイン機能）が設けられており、このそれぞれにアクセスネットワークＲＡＮ内で１つずつアドレスが割り当てられている。このアドレスにより所定の端末機ＵＥに定められたデータパケットが当該の端末機ＵＥと通信するトランスポート機能部ＵＰＦへ転送される。
【００２０】
アクセスネットワークＲＡＮにはさらに第２のタイプのノードが設けられており、図ではＲＣＳ１，ＲＣＳ２（Ｒａｄｉｏ Ｃｏｎｔｒｏｌ Ｓｅｒｖｅｒ）として示されている。これらのノードはアクセスネットワーク内、端末機ＵＥと基幹ネットワークＣＮとのあいだでのシグナリングデータの交換を担当している。第２のノードＲＣＳ１にはシグナリング機能部ＵＥＦ（ユーザイクイップメント機能部）と称される複数の機能ユニットが設けられており、それぞれその時点でアクティブな端末機に割り当てられ、割り当てられた端末機のシグナリングに関連するタスクを処理する。シグナリング機能部ＵＥＦは第２のノードの処理能力の抽象的な成分としてインプリメントされている。この機能はそのつど割り当てられた端末機がアクセスネットワークＲＡＮとの通信を維持しているあいだだけ存在する。シグナリング機能部にはそれぞれ固有のアドレスが割り当てられており、このアドレスを用いてそのつど割り当てられる端末機は関連するシグナリングデータをアクセスネットワーク内で送信する。
【００２１】
第２のノードＲＣＳ２はマネジメントユニットＵＡＦ（ユーザアロケーション機能部）を有しており、端末機ＵＥが第１のノード、例えばノードＵＰＳ１と通信を形成しようと試行するとただちにこのユニットに当該のノードから報告がなされる。このマネジメントユニットＵＡＦはこれに応じて端末機ＵＥに第２のノードＲＣＳ１のシグナリング機能部ＵＥＦを割り当て、そのアドレスを第１のノードＵＰＳ１へ伝達する。これにより当該の端末機に関連するシグナリング情報を正確に対応するシグナリング機能部ＵＥＦへアドレシングすることができる。
【００２２】
ここで考察している端末機ＵＥが第１のノードＵＰＳ１の領域にとどまっているあいだ、基幹ネットワークＣＮから到来する所定の利用データは直接に第１のノードＵＰＳ１を介して端末機ＵＥへ転送される。これに対して、基幹ネットワークＣＮから到来するシグナリングデータはまず第２のノードＲＣＳ１を通過し、相応のシグナリング機能部から適切な第１のノードへ転送される。
【００２３】
端末機ＵＥが第１のノードＵＰＳ１によってカバーされる地域から離れ、ノードＵＰＳ２によってカバーされる地域へ入ると、ノードＵＰＳ１の相応のトランスポート機能部ＵＰＦは消去され、ノードＵＰＳ２の機能部が新たにセットされる。これに必要なシグナリングデータの交換は第２のノードＲＣＳ１の相応のシグナリング機能部ＵＥＦによって処理される。シグナリング機能部ＵＥＦそのものはノードＲＣＳ１にとどまる。この場合、端末機がノードＵＰＳ２へ移動しても、当該の端末機の行う通信中、利用データのやり取りに必要なパラメータのみをノードＵＰＳ２へ供給すればよく、シグナリングにしか関係しないデータは必要ない。したがってアクセスネットワークＲＡＮ内で端末機ＵＥの移動に関連して交換されるシグナリングデータの量はトランスポート機能およびシグナリング機能の双方を移す従来のケースよりも小さくなる。このため適合化過程も迅速に処理され、アクセスネットワークのトランスポート容量は適合化過程によっても僅かしか負荷されない。
【００２４】
シグナリング機能部ＵＥＦおよびマネジメントユニットＵＡＦは図１の構成では第２のノードＲＣＳ１、ＲＣＳ２に分割されて設けられているが、もちろん１つのノードにまとめることもできる。
【００２５】
またアクセスネットワークに独立した１つのマネジメントユニットＵＡＦとシグナリング機能部を備えた複数の第２のノードとを設けることもできる。この実施例は図２に示されている。図では六角形のフィールドの全体がアクセスネットワークＲＡＮの延在する地域を表しており、個々の六角形Ａ，ａが所定の第１のノードに接続された基地局によってカバーされるサブエリアに相応する。これらのサブエリアに割り当てられた第１のノードＵＰＳ１，ＵＰＳ２，．．．はそれぞれ六角形のフィールドＡ，ａ内部のボックスとして示されている。第２のノードＲＣＳ１，ＲＣＳ２，．．．は複数の第１のノードＵＰＳ１，ＵＰＳ２，．．．へ接続されてシグナリング情報を交換するが、そのうちノードＲＣＳ１に対するコネクションのみが実線および破線で示してある。実線で示したコネクションは第２のノードＲＣＳ１から第１のノードＵＰＳ１へ達する。ノードＵＰＳ１はここでは第２のノードＲＣＳ１のコアノードである。なぜならここで扱われているサブエリアＡは第２のノードＲＣＳ２の扱う領域のいわばコアとなっているからである。このコアの周囲をリング状にサブエリアａが包囲しており、これらのサブエリアの第１のノードも破線で示されているコネクションにより同様に第２のノードＲＣＳ１に接続されている。
【００２６】
端末機が第１のノードＵＰＳ１のサブエリアＡ内で通信を形成する場合、マネジメントユニットＵＡＦはこの端末機にその時点で利用可能な第２のノードＲＣＳ１のシグナリング機能部を割り当てる。当該の端末機はサブエリアＡからこれを包囲する全てのサブエリアａへ移動できるが、その際にもシグナリング機能部を第２のノードＲＣＳ１から別の第２のノードへ移す必要はない。
【００２７】
アクセスネットワークの全てのサブエリアＡ，ａでこの利点を達成するには、各第１のノードＵＰＳ１，ＵＰＳ２，．．．を少なくとも１つの第２のノードＲＣＳ１，ＲＣＳ２，．．．のコアノードとする。
【００２８】
また実際には各第１のノードに複数の第２のノードが接続される。実線で繋がれたコアノードとしてのノードと、破線で繋がれた当該の地域の縁領域に属するノードとが示されている。第１のノードを複数の第２のノードへ割り当てる（例えば図中の第１のノードＵＰＳ２を第２のノードＲＣＳ１，ＲＣＳ２へ接続する）と、シグナリング機能部を端末機ＵＥに割り当てる際のフレキシビリティが高まるため、さらに有利である。端末機ＵＥが第１のノードＵＰＳ２の領域でコネクションを形成したが、第２のノードＲＣＳ２でシグナリング機能部の空きがないという場合にも、端末機ＵＥにはノードＲＣＳ１でのシグナリング機能部が割り当てられる。
【００２９】
この実施例の第１のバリエーションでは、各第１のノードにコアノードとしての第２のノードが１つずつ割り当てられる。したがって第２のノードＲＣＳと同じ数の第１のノードＵＰＳが生じる。このバリエーションは第１のノードとコアノードである第２のノードとを１つの構造ユニットに共に配置できるという利点を有する。周知のアクセスネットワークとの主な相違点は、シグナリング機能部および利用データトランスポート機能部が１つの構造ユニットとして設けられるが、この実施例のアクセスネットワークの第２のノードはシグナリングデータを直接に隣接するサブエリアの第１のノードと交換できる点である。また図１に関連して前述したように、シグナリング機能部およびトランスポート機能部のアドレスが異なるため、これら２つに対して相互に独立に要求を行うことができる。
【００３０】
第１のバリエーションは第１のノードと第２のノードとのあいだのコネクション経路がそれぞれ全体としてサブエリアＡ，ａの広がりよりも長くならないことが特徴である。これに対して図１で考察したケースでは、シグナリング機能部ＵＥＦが唯一の第２のノードでしか使用できず、コネクション経路が著しく長くなり、必要なコネクション数もきわめて大きくなる。このコネクション数は、第１のノードＵＰＳ１，ＵＰＳ２，．．．にコアノードとしての第２のノードを１つずつ割り当て、第２のノードがそれぞれ複数の第１のノードをコアノードとして有するように構成すれば低減できる。これは図２の第２のノードＲＣＳ４の実施例として示されている。
【図面の簡単な説明】
【図１】
本発明の第１の無線アクセスネットワークのブロック図である。
【図２】
本発明の第２の無線アクセスネットワークのブロック図である。
【国際公開パンフレット】
2004511145.tif 000003
2004511145.tif 000004
2004511145.tif 000005
2004511145.tif 000006
2004511145.tif 000007
2004511145.tif 000008
2004511145.tif 000009
2004511145.tif 000010
2004511145.tif 000011
2004511145.tif 000012
2004511145.tif 000013
2004511145.tif 000014
2004511145.tif 000015
2004511145.tif 000016
2004511145.tif 000017
2004511145.tif 000018
2004511145.tif 000019
2004511145.tif 000020
【国際公開パンフレット（コレクトバージョン）】
2004511145.tif 000021
2004511145.tif 000022
【国際調査報告】
2004511145.tif 000023
2004511145.tif 000024
2004511145.tif 000025
2004511145.tif 000026
2004511145.tif 000027
2004511145.tif 000028